(57)【要約】      （修正有）【課題】入浴時等に水中、若しくは水面に浮遊させて使用可能であり、視覚的インパクトが大きく、子供のみならず大人でも楽しむことが可能であり、且つリラクゼーション効果を発揮しうる玩具を提供する。【解決手段】玩具本体と、玩具本体に固定されると共に、揺動を検知する揺動センサー、及び、揺動センサーに接続された発光ダイオードを有する発光装置を備える。発光装置は、玩具本体の内部に密閉状態で埋設される。【選択図】図１
0003160582.tif 000002
【実用新案登録請求の範囲】
【請求項１】
水中、若しくは水面に浮遊させて使用する玩具であって、
所定形状に形成された玩具本体と、
上記玩具本体に固定されると共に、揺動を検知して発光しうる発光装置とを備えること特徴とする玩具。
【請求項２】
上記玩具本体は合成樹脂から形成され、
上記発光装置は、上記玩具本体の内部に密閉状態で埋設されていることを特徴とする請求項１記載の玩具。
【請求項３】
上記発光装置は、合成樹脂からなる薄板片のケース部と、
上記ケース部に封入された発光回路部とから形成され、
上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、
上記配置方向検知手段は、上記発光装置が所定の方向に配置された場合には、発光回路部を通電可能な状態に保持すると共に、上記発光装置が所定の方向以外に配置された場合には発光回路部を遮断状態に保持しうるスイッチ部を有することを特徴とする請求項１又は２記載の玩具。
【請求項４】
上記発光装置は、複数の発光ダイオードを備えると共に、上記複数の発光ダイオードの発光タイミングを調整しうる発光制御部を備えていることを特徴とする請求項３記載の玩具。
【考案の詳細な説明】
【技術分野】
【０００１】
本考案は水中、若しくは水面に浮遊させて使用する玩具であって、特に、玩具本体内部に振動を検知することにより発光する発光部を備えた玩具に関する。
【背景技術】
【０００２】
浴槽若しくは子供用のプール等に浮かべて使用する玩具としては、テレビアニメ等のキャラクター、動物等の形態を有し、単に浮遊させて遊ぶ形態のものから、水鉄砲等の機能を有するもの、等、多種多様な製品が流通している。
【０００３】
上記のような玩具は、遊戯道具としての機能は備えるが、直接手で触って遊技するものが多く、視覚的なインパクトに欠けるものであり、リラクゼーション等の効果は発揮されない。
【０００４】
従って、上記のような玩具は、幼児・児童等の遊技目的には適しているものの、大人が一人で入浴する場合には適さないという不具合を有していた。
【０００５】
また、水面、若しくは水中で使用する特性上、電池駆動式の玩具の場合、防水処置を十分に施す必要があり、電池収納部等の構造が複雑となってしまうという別の不具合をも有していた。
【考案の開示】
【考案が解決しようとする課題】
【０００６】
本考案の課題は、入浴時等に水中、若しくは水面に浮遊させて使用可能であり、視覚的インパクトが大きく、子供のみならず大人でも楽しむことが可能であり、且つリラクゼーション効果を発揮しうる玩具を提供することにある。
【課題を解決するための手段】
【０００７】
上記課題を解決するために、請求項１の考案にかかる玩具は、水中、若しくは水面に浮遊させて使用する玩具であって、所定形状に形成された玩具本体と、
上記玩具本体に固定されると共に、揺動を検知して発光しうる発光装置とを備えること特徴とする。
【０００８】
従って、玩具本体が、水中若しくは水面を浮遊することに伴う振動を検知して、上記玩具本体に固定された発光装置が発光する。
【０００９】
また、請求項２の考案にかかる玩具は、上記玩具本体は合成樹脂から形成され、
上記発光装置は、上記玩具本体の内部に密閉状態で埋設されていることを特徴とする。
従って、玩具本体部によって水密状態に形成されていることから、内部の発光装置が濡れてしまうことがない。
【００１０】
また、請求項３の考案にかかる玩具は、上記発光装置は、合成樹脂からなる薄板片のケース部と、上記ケース部に封入された発光回路部とから形成され、上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、上記配置方向検知手段は、上記発光装置が所定の方向に配置された場合には、上記回路部を通電可能な状態に保持すると共に、上記発光装置が所定方向以外に配置された場合には上記発光回路部を遮断状態に保持しうるスイッチ部を有することを特徴とする。
【００１１】
従って、上記発光装置を上記玩具とは独立した別体の部品とすることが可能であり、一般的な玩具合成樹脂の玩具に、発光装置そのものを埋め込むことによって取り付けことができる。
また、上記ケース部に発光回路部が封入されていることから、上記ケース部が、水を遮断し、内部の発光回路部等に水が及ぶことがない。
更に、上記スイッチ部によって、上記発光装置の配置方向が速やかに検知され、上記発光装置を取り外すことなく、上記発光回路部の発光有無の状態を切り替えることができる。
【００１２】
また、請求項４の考案にかかる玩具は、上記発光装置は、複数の発光ダイオードを備えると共に、上記複数の発光ダイオードの発光タイミングを調整しうる発光制御部を備えていることを特徴とする。
従って、振動に連動しつつ、上記複数の発光ダイオードが断続的に発光する。
【考案の効果】
【００１３】
請求項１の考案にあっては、所定形状に形成された玩具本体と、上記玩具本体の内部に密封されると共に、揺動を検知して発光しうる発光装置とを備えることから、手で直接触れない場合であっても、水面及び水中を浮遊することによって発生する振動を検知して、上記発光装置が発光する。
従って、視覚的インパクトが大きく、子供のみならず大人でも楽しむことが可能であり、且つ不規則な発光によって、視覚に適度な刺激を与えるため、リラクゼーション効果をも発揮しうる玩具を提供することができる。
【００１４】
また、請求項２の考案にあっては、上記玩具本体は合成樹脂から形成され、上記発光装置は、上記玩具本体の内部に密閉状態で埋設されていることから、請求項１の効果に加え、上記玩具本体部によって、発光装置が確実に防水されうる。
【００１５】
また、請求項３の考案にあっては、上記発光装置が、装飾具とは独立した別体の部品として供給されるため、上記発光装置を、玩具本体にそのまま埋設して取り付けることが可能である。
従って、玩具本体部に、電気配線部品等を配設する必要がないため、製造コストを低減することが可能である。
また、上記ケース部によって湿気等から内部の発光回路部が保護されるため、上記発光装置の耐久性がより向上する。
更に、使用しない場合には、上記発光回路部を遮断状態にする方向に、上記発光装置が配置されるようによう玩具を収納しておくことで、不要な電池の消耗を防止し、より長時間に亘り、上記発光装置を発光させることができる。
【００１６】
また、請求項４の考案にあっては、上記発光装置は、複数の発光ダイオードを備えると共に、上記複数の発光ダイオードの発光タイミングを調整しうる発光制御部を備えることから、請求項３の効果に加え、上記発光装置の発光パターンがより複雑となり、視覚的インパクトが大きく、リラクゼーション効果が高い玩具を提供することができる。
【図面の簡単な説明】
【００１７】
【図１】本考案の一実施の形態を示し、実施の形態にかかる玩具を浴槽に浮かべた状態を示す斜視図である。
【図２】本考案の一実施の形態を示し、実施例の形態の玩具に取り付けられた発光装置の（ａ）は正面図、（ｂ）は側面図、（ｃ）は背面図である。
【図３】本考案の一実施の形態を示し、実施例の形態の玩具に取り付けられた発光装置の回路配置例を示し、（ａ）は配置方向検知手段のスイッチ部がオンの状態、（ｂ）配置方向検知手段のスイッチ部がオフの状態を示す概略図である。
【考案を実施するための最良の形態】
【００１８】
本考案の実施の形態について、浴槽に浮かべて使用する形態の玩具を例として以下添付図面を基に説明する。
図１に示すように、本実施例に係る玩具１０は、浴槽１１の水面１２に浮遊させて使用し、動物および花等の形状に形成された玩具本体１３と、上記玩具本体１３の内部に埋設されて密封され、揺動を検知して発光しうる発光装置１４とを備えている。
また、図２に示すように、上記発光装置１４は、合成樹脂からなる薄板片のケース部１６と、上記ケース部１６に封入された発光回路部１７とから形成され、上記発光回路部１７は、電池１８と、上記電池１８から電源供給を受けることによって発光しうる３つの発光ダイオード１９、１９、１９と、外部から加えられた揺動を検知しうる揺動検知センサー２０と、上記発光装置１４の配置方向を検知しうる配置方向検知手段２１と、上記３つの発光ダイオード１９の発光タイミングを調整しうる発光制御部２２とを備えている。
また、図３に示すように、上記配置方向検知手段２１は、上記発光装置１４が所定の方向に配置された場合には、上記発光回路部１７を通電可能な状態に保持すると共に、上記発光装置１４が所定方向以外に配置された場合には上記発光回路部１７を遮断状態に保持しうるスイッチ部２４を有している。
【実施例１】
【００１９】
以下に、本考案の実施例の構成について図面を用いて詳述する。
図１は、本実施例に係る玩具１０、１０、１０を、浴槽１１の水面１２に浮かべた状態を示す斜視図である。
図１に示すように、本実施例においては、玩具１０、１０、１０の玩具本体１３は、それぞれ、イルカ、アヒル、花の形状を模して形成されている。
なお、玩具本体１３のデザインについては、上記に限定されることはなく、他の動物や植物の形状、およびテレビアニメ等のキャラクターの形状であっても良い。
【００２０】
また、上記玩具本体１３を形成する合成樹脂の種類についても特に限定する必要はないが、水面に浮遊もしくは水中に浮遊させることから、少なくとも、発光装置１４を含めた玩具１０のトータルの比重が水と同じもしくは小さくなる必要がある。
【００２１】
また、本実施例においては、発光装置１４が玩具本体１３の内部に埋設されていることから、発光装置１４の発光が外部に透過されて視認できるようにするために、合成樹脂は透明もしくは半透明のものが使用される。
【００２２】
また、図２（ａ）は発光装置１４の正面図、（ｂ）は側面図、（ｃ）背面図である。
図２（ａ）に示すように、上記発光装置１４のケース部１６は、縦２３ｍｍ×横１７ｍｍ×厚さ５ｍｍの合成樹脂製の小型板片に形成されている。
また、電池１８はボタン電池であり、図２（ｂ）に示すように３つの発光ダイオード１９、１９、１９及び、振動検知センサー２０は基板２３上に配設されている。
また、図２（ｃ）に示すように、上記発光装置１４において、上記基板２３及び上記電池１８は上記ケース部１６の内部に密閉されており、その結果、上記発光装置１４は防水機能及び耐熱機能を供えている。
また、図３は、上記発光回路部１７の構成例を示す概略図である。
図３（ａ）に示すように、上記揺動センサー２０は、有底円筒形の固定接点部２０ａと、上記固定接点部２０ａの内部に挿入されたコイルバネからなる可動接点部２０ｂとから形成されている。
上記発光装置１４を揺動させた場合、上記揺動に連動して、上記可動接点部２０ｂが矢印Ａの方向に揺動し、上記固定接点部２０ａに対し、当接と離間を繰り返す。
また、上記配置方向検知手段２１のスイッチ部２４は、接続線路２５の一部が遮断された遮断部２４ａと、図３（ａ）に示すように、上記発光装置１４が所定の方向に配置された場合にのみ、上記遮断部２４ａの両端を接続し、同図（ｂ）に示すように、上記所定方向以外に配置された場合には、上記遮断部２４ａの両端から離間して配置されるスイッチ片部２４ｂとから形成されている。
【００２３】
以下、本実施例の作用について添付図面を用いて説明する。
図２（ａ）に示すように上記発光装置１４のケース部１６の表面には、上記発光装置１４が発光しうる配置方向を示す案内矢印２６が印字されている。
すなわち、上記案内矢印２６の先端を上方に向けて上記発光装置１４を配置した場合、図３（ａ）に示すように上記配置方向検出手段２１のスイッチ部２４において、スイッチ片部２４ｂが接続線路２５の遮断部２４ａを接続するように配置される。
従って、上記の場合、上記揺動センサー２０において、可動接点部２０ａと固定接点部２０ｂとが当接することによって、発光ダイオード１９、１９、１９に通電され、上記発光ダイオード１９、１９、１９が発光する。
【００２４】
本実施例の場合、図１に示すような形態で玩具本体１３を水面１２に浮かべた場合に、玩具本体１３内の発光装置１４の上記案内矢印２６が上方に向くように配置することで、玩具１０が水面１２に浮かんだ状態で、水面１２の揺れに連動して、図２に示す、上記発光ダイオード１９、１９、１９が断続的に発光する。
【００２５】
更にこの際、上記発光制御部２２によって、上記発光ダイオード１９、１９、１９の発光タイミングに所定の遅延を生じさせる等によって、発光パターンが複雑になり、視覚的インパクトをより大きくすることができる。
【００２６】
また、図３（ａ）に示すように、上記案内矢印２６の先端を下方に向けて上記発光装置１４を配置した場合は、図３（ｂ）に示すように、上記配置方向検出手段２１のスイッチ部２４において、スイッチ片部２４ｂが接続線路２５の遮断部２４ａと離間して配置される。
従って、上記の場合は、可動接点部２０ａと固定接点部２０ｂとが当接した場合であっても、上記遮断部２４ａ、２４ａによって発光回路部が遮断されているため、上記発光ダイオード１９、１９、１９が発光することはない。
【００２７】
本実施例においては、玩具１０を使用しない場合は、上記案内矢印２６の先端を下方に向けて配置されるように保管しておくことで、保管中に体に触れて玩具１０が振動した場合であっても、上記発光ダイオード１９、１９、１９が発光することはなく、電池１８の無用な消耗を防ぐことができる。
【００２８】
また、図２に示すように、上記発光装置１４は防水機能および耐熱機能を有するため、浴槽の湯の水分および高温にさらされた場合であっても故障し難い。
更に上記発光装置１４は、非常に低コストで入手可能であり、玩具本体１３には特段の電子部品が不要であることから、玩具１０の製造コストをより低減することが可能である。
【００２９】
本実施例にあっては、発光装置１４が、浴槽１１の水面１２の振動によって、不規則且つ断続的に発光を繰り返すことから、視覚的インパクトが高く、また発光ダイオードの色彩を調整することによって、リラクゼーション効果を奏することができ、子供の玩具としてのみならず、大人が一人で入浴する際のリラクゼーショングッズとしても有効に活用できる。
【００３０】
なお、本実施例においては、取り付けられる上記発光装置の数は、必要に応じて適宜変更可能であり、本実施例に何ら制約されるわけではない。
なお、浴槽で使用するほか、室内の水槽の水面もしくは水中に浮遊させることによって、室内装飾具としても活用することが可能である。
【産業上の利用可能性】
【００３１】
本考案は本考案は水中、若しくは水面に浮遊させて使用する玩具であって、特に、玩具本体内部に振動を検知することにより発光する発光部を備えた玩具に適用することができる。
【符号の説明】
【００３２】
１０  玩具
１１  浴槽
１２  水面
１３  玩具本体
１４  発光装置
１６  発光装置のケース部
１７  発光回路部
１８  電池
１９  発光装置の発光ダイオード
２０  振動検知センサー
２０ａ固定可動接点部
２０ｂ可動接点部
２１  配置方向検知手段
２２  発光制御部
２３  基板
２４  スイッチ部
２４ａ遮断部
２４ｂスイッチ片部
２５  接続線路
２６  案内矢印
【図１】
0003160582.tif 000003
【図２】
0003160582.tif 000004
【図３】
0003160582.tif 000005
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
水中、若しくは水面に浮遊させて使用する玩具であって、
玩具本体と、
上記玩具本体に固定されると共に、揺動を検知する揺動センサー及び、上記揺動センサーに接続された発光ダイオードを有する発光装置とを備えること特徴とする玩具。
【請求項２】
上記玩具本体は合成樹脂から形成され、
上記発光装置は、上記玩具本体の内部に密閉状態で埋設されていることを特徴とする請求項１記載の玩具。
【請求項３】
上記発光装置は、合成樹脂からなる薄板片のケース部と、
上記ケース部に封入された発光回路部とから形成され、
上記発光回路部は、電池と、上記電池から電源供給を受けることによって発光しうる発光ダイオードと、上記発光ダイオードに接続すると共に、外部から加えられた揺動を検知しうる揺動検知センサーと、上記発光装置の配置方向を検知しうる配置方向検知手段とを備え、
上記配置方向検知手段は、上記発光装置が所定の方向に配置された場合には、発光回路部を通電可能な状態に保持すると共に、上記発光装置が所定の方向以外に配置された場合には発光回路部を遮断状態に保持しうるスイッチ部を有することを特徴とする請求項１又は２記載の玩具。
【請求項４】
上記発光装置は、複数の発光ダイオードを備えると共に、上記複数の発光ダイオードの発光タイミングを調整しうる発光制御部を備えていることを特徴とする請求項３記載の玩具。
【手続補正２】
【補正対象書類名】明細書
【補正対象項目名】全文
【補正方法】変更
【補正の内容】
【考案の詳細な説明】
【技術分野】
【０００１】
本考案は水中、若しくは水面に浮遊させて使用する玩具であって、特に、玩具本体内部に振動を検知することにより発光する発光部を備えた玩具に関する。
【背景技術】
【０００２】
浴槽若しくは子供用のプール等に浮かべて使用する玩具としては、テレビアニメ等のキャラクター、動物等の形態を有し、単に浮遊させて遊ぶ形態のものから、水鉄砲等の機能を有するもの、等、多種多様な製品が流通している。
【０００３】
上記のような玩具は、遊戯道具としての機能は備えるが、直接手で触って遊技するものが多く、視覚的なインパクトに欠けるものであり、リラクゼーション等の効果は発揮されない。
【０００４】
従って、上記のような玩具は、幼児・児童等の遊技目的には適しているものの、大人が一人で入浴する場合には適さないという不具合を有していた。
【０００５】
また、水面、若しくは水中で使用する特性上、電池駆動式の玩具の場合、防水処置を十分に施す必要があり、電池収納部等の構造が複雑となってしまうという別の不具合をも有していた。
【考案の開示】
【考案が解決しようとする課題】
【０００６】
本考案の課題は、入浴時等に水中、若しくは水面に浮遊させて使用可能であり、視覚的インパクトが大きく、子供のみならず大人でも楽しむことが可能であり、且つリラクゼーション効果を発揮しうる玩具を提供することにある。
【課題を解決するための手段】
【０００７】
上記課題を解決するために、請求項１の考案にかかる玩具は、水中、若しくは水面に浮遊させて使用する玩具であって、玩具本体と、上記玩具本体に固定されると共に、揺動を検知する揺動センサーと上記揺動センサーに接続された発光ダイオードを有する発光装置とを備えること特徴とする。
【０００８】
従って、玩具本体が、水中若しくは水面を浮遊することに伴う振動を検知して、上記玩具本体に固定された発光装置が発光する。
【０００９】
また、請求項２の考案にかかる玩具は、上記玩具本体は合成樹脂から形成され、
上記発光装置は、上記玩具本体の内部に密閉状態で埋設されていることを特徴とする。
従って、玩具本体部によって水密状態に形成されていることから、内部の発光装置が濡れてしまうことがない。
【００１０】
また、請求項３の考案にかかる玩具は、上記発光装置は、合成樹脂からなる薄板片のケース部と、上記ケース部に封入された発光回路部とから形成され、上記発光回路部は、電池と、上記電池から電源供給を受けることによって発光しうる発光ダイオードと、上記発光ダイオードに接続すると共に、外部から加えられた揺動を検知しうる揺動検知センサーと、上記発光装置の配置方向を検知しうる配置方向検知手段とを備え、上記配置方向検知手段は、上記発光装置が所定の方向に配置された場合には、上記回路部を通電可能な状態に保持すると共に、上記発光装置が所定方向以外に配置された場合には上記発光回路部を遮断状態に保持しうるスイッチ部を有することを特徴とする。
【００１１】
従って、上記発光装置を上記玩具とは独立した別体の部品とすることが可能であり、一般的な玩具合成樹脂の玩具に、発光装置そのものを埋め込むことによって取り付けことができる。
また、上記ケース部に発光回路部が封入されていることから、上記ケース部が、水を遮断し、内部の発光回路部等に水が及ぶことがない。
更に、上記スイッチ部によって、上記発光装置の配置方向が速やかに検知され、上記発光装置を取り外すことなく、上記発光回路部の発光有無の状態を切り替えることができる。
【００１２】
また、請求項４の考案にかかる玩具は、上記発光装置は、複数の発光ダイオードを備えると共に、上記複数の発光ダイオードの発光タイミングを調整しうる発光制御部を備えていることを特徴とする。
従って、振動に連動しつつ、上記複数の発光ダイオードが断続的に発光する。
【考案の効果】
【００１３】
請求項１の考案にあっては、玩具本体と、上記玩具本体に固定されると共に、揺動を検知する揺動センサーと上記揺動センサーに接続された発光ダイオードを有する発光装置とを備えることから、手で直接触れない場合であっても、水面及び水中を浮遊することによって発生する振動を検知して、上記発光装置が発光する。
従って、視覚的インパクトが大きく、子供のみならず大人でも楽しむことが可能であり、且つ不規則な発光によって、視覚に適度な刺激を与えるため、リラクゼーション効果をも発揮しうる玩具を提供することができる。
【００１４】
また、請求項２の考案にあっては、上記玩具本体は合成樹脂から形成され、上記発光装置は、上記玩具本体の内部に密閉状態で埋設されていることから、請求項１の効果に加え、上記玩具本体部によって、発光装置が確実に防水されうる。
【００１５】
また、請求項３の考案にあっては、上記発光装置が、装飾具とは独立した別体の部品として供給されるため、上記発光装置を、玩具本体にそのまま埋設して取り付けることが可能である。
従って、玩具本体部に、電気配線部品等を配設する必要がないため、製造コストを低減することが可能である。
また、上記ケース部によって湿気等から内部の発光回路部が保護されるため、上記発光装置の耐久性がより向上する。
更に、使用しない場合には、上記発光回路部を遮断状態にする方向に、上記発光装置が配置されるようによう玩具を収納しておくことで、不要な電池の消耗を防止し、より長時間に亘り、上記発光装置を発光させることができる。
【００１６】
また、請求項４の考案にあっては、上記発光装置は、複数の発光ダイオードを備えると共に、上記複数の発光ダイオードの発光タイミングを調整しうる発光制御部を備えることから、請求項３の効果に加え、上記発光装置の発光パターンがより複雑となり、視覚的インパクトが大きく、リラクゼーション効果が高い玩具を提供することができる。
【図面の簡単な説明】
【００１７】
【図１】本考案の一実施の形態を示し、実施の形態にかかる玩具を浴槽に浮かべた状態を示す斜視図である。
【図２】本考案の一実施の形態を示し、実施例の形態の玩具に取り付けられた発光装置の（ａ）は正面図、（ｂ）は側面図、（ｃ）は背面図である。
【図３】本考案の一実施の形態を示し、実施例の形態の玩具に取り付けられた発光装置の回路配置例を示し、（ａ）は配置方向検知手段のスイッチ部がオンの状態、（ｂ）配置方向検知手段のスイッチ部がオフの状態を示す概略図である。
【考案を実施するための最良の形態】
【００１８】
本考案の実施の形態について、浴槽に浮かべて使用する形態の玩具を例として以下添付図面を基に説明する。
図１に示すように、本実施例に係る玩具１０は、浴槽１１の水面１２に浮遊させて使用し、動物および花等の形状に形成された玩具本体１３と、上記玩具本体１３の内部に埋設されて密封され、上記玩具本体１３に固定されると共に、揺動を検知する揺動センサー２０と、上記揺動センサー２０に接続された発光ダイオード１９を有する揺動を検知して発光しうる発光装置１４とを備えている。
また、図２に示すように、上記発光装置１４は、合成樹脂からなる薄板片のケース部１６と、上記ケース部１６に封入された発光回路部１７とから形成され、上記発光回路部１７は、電池１８と、上記電池１８から電源供給を受けることによって発光しうる３つの発光ダイオード１９、１９、１９と、上記発光ダイオード１９，１９，１９に接続すると共に、外部から加えられた揺動を検知しうる揺動検知センサー２０と、上記発光装置１４の配置方向を検知しうる配置方向検知手段２１と、上記３つの発光ダイオード１９の発光タイミングを調整しうる発光制御部２２とを備えている。
また、図３に示すように、上記配置方向検知手段２１は、上記発光装置１４が所定の方向に配置された場合には、上記発光回路部１７を通電可能な状態に保持すると共に、上記発光装置１４が所定方向以外に配置された場合には上記発光回路部１７を遮断状態に保持しうるスイッチ部２４を有している。
【実施例１】
【００１９】
以下に、本考案の実施例の構成について図面を用いて詳述する。
図１は、本実施例に係る玩具１０、１０、１０を、浴槽１１の水面１２に浮かべた状態を示す斜視図である。
図１に示すように、本実施例においては、玩具１０、１０、１０の玩具本体１３は、それぞれ、イルカ、アヒル、花の形状を模して形成されている。
なお、玩具本体１３のデザインについては、上記に限定されることはなく、他の動物や植物の形状、およびテレビアニメ等のキャラクターの形状であっても良い。
【００２０】
また、上記玩具本体１３を形成する合成樹脂の種類についても特に限定する必要はないが、水面に浮遊もしくは水中に浮遊させることから、少なくとも、発光装置１４を含めた玩具１０のトータルの比重が水と同じもしくは小さくなる必要がある。
【００２１】
また、本実施例においては、発光装置１４が玩具本体１３の内部に埋設されていることから、発光装置１４の発光が外部に透過されて視認できるようにするために、合成樹脂は透明もしくは半透明のものが使用される。
【００２２】
また、図２（ａ）は発光装置１４の正面図、（ｂ）は側面図、（ｃ）背面図である。
図２（ａ）に示すように、上記発光装置１４のケース部１６は、縦２３ｍｍ×横１７ｍｍ×厚さ５ｍｍの合成樹脂製の小型板片に形成されている。
また、電池１８はボタン電池であり、図２（ｂ）に示すように３つの発光ダイオード１９、１９、１９及び、振動検知センサー２０は基板２３上に配設されている。
また、図２（ｃ）に示すように、上記発光装置１４において、上記基板２３及び上記電池１８は上記ケース部１６の内部に密閉されており、その結果、上記発光装置１４は防水機能及び耐熱機能を供えている。
また、図３は、上記発光回路部１７の構成例を示す概略図である。
図３(ａ)に示すように、上記揺動センサー２０は、有底円筒形の固定接点部２０ａと、上記固定接点部２０ａの内部に挿入されたコイルバネからなる可動接点部２０ｂとから形成されている。
上記発光装置１４を揺動させた場合、上記揺動に連動して、上記可動接点部２０ｂが矢印Ａの方向に揺動し、上記固定接点部２０ａに対し、当接と離間を繰り返す。
また、上記配置方向検知手段２１のスイッチ部２４は、接続線路２５の一部が遮断された遮断部２４ａと、図３（ａ）に示すように、上記発光装置１４が所定の方向に配置された場合にのみ、上記遮断部２４ａの両端を接続し、同図（ｂ）に示すように、上記所定方向以外に配置された場合には、上記遮断部２４ａの両端から離間して配置されるスイッチ片部２４ｂとから形成されている。
【００２３】
以下、本実施例の作用について添付図面を用いて説明する。
図２（ａ）に示すように上記発光装置１４のケース部１６の表面には、上記発光装置１４が発光しうる配置方向を示す案内矢印２６が印字されている。
すなわち、上記案内矢印２６の先端を上方に向けて上記発光装置１４を配置した場合、図３（ａ）に示すように上記配置方向検出手段２１のスイッチ部２４において、スイッチ片部２４ｂが接続線路２５の遮断部２４ａを接続するように配置される。
従って、上記の場合、上記揺動センサー２０において、可動接点部２０ａと固定接点部２０ｂとが当接することによって、発光ダイオード１９、１９、１９に通電され、上記発光ダイオード１９、１９、１９が発光する。
【００２４】
本実施例の場合、図１に示すような形態で玩具本体１３を水面１２に浮かべた場合に、玩具本体１３内の発光装置１４の上記案内矢印２６が上方に向くように配置することで、玩具１０が水面１２に浮かんだ状態で、水面１２の揺れに連動して、図２に示す、上記発光ダイオード１９、１９、１９が断続的に発光する。
【００２５】
更にこの際、上記発光制御部２２によって、上記発光ダイオード１９、１９、１９の発光タイミングに所定の遅延を生じさせる等によって、発光パターンが複雑になり、視覚的インパクトをより大きくすることができる。
【００２６】
また、図３（ａ）に示すように、上記案内矢印２６の先端を下方に向けて上記発光装置１４を配置した場合は、図３（ｂ）に示すように、上記配置方向検出手段２１のスイッチ部２４において、スイッチ片部２４ｂが接続線路２５の遮断部２４ａと離間して配置される。
従って、上記の場合は、可動接点部２０ａと固定接点部２０ｂとが当接した場合であっても、上記遮断部２４ａ、２４ａによって発光回路部が遮断されているため、上記発光ダイオード１９、１９、１９が発光することはない。
【００２７】
本実施例においては、玩具１０を使用しない場合は、上記案内矢印２６の先端を下方に向けて配置されるように保管しておくことで、保管中に体に触れて玩具１０が振動した場合であっても、上記発光ダイオード１９、１９、１９が発光することはなく、電池１８の無用な消耗を防ぐことができる。
【００２８】
また、図２に示すように、上記発光装置１４は防水機能および耐熱機能を有するため、浴槽の湯の水分および高温にさらされた場合であっても故障し難い。
更に上記発光装置１４は、非常に低コストで入手可能であり、玩具本体１３には特段の電子部品が不要であることから、玩具１０の製造コストをより低減することが可能である。
【００２９】
本実施例にあっては、発光装置１４が、浴槽１１の水面１２の振動によって、不規則且つ断続的に発光を繰り返すことから、視覚的インパクトが高く、また発光ダイオードの色彩を調整することによって、リラクゼーション効果を奏することができ、子供の玩具としてのみならず、大人が一人で入浴する際のリラクゼーショングッズとしても有効に活用できる。
【００３０】
なお、本実施例においては、取り付けられる上記発光装置の数は、必要に応じて適宜変更可能であり、本実施例に何ら制約されるわけではない。
なお、浴槽で使用するほか、室内の水槽の水面もしくは水中に浮遊させることによって、室内装飾具としても活用することが可能である。
【産業上の利用可能性】
【００３１】
本考案は本考案は水中、若しくは水面に浮遊させて使用する玩具であって、特に、玩具本体内部に振動を検知することにより発光する発光部を備えた玩具に適用することができる。
【符号の説明】
【００３２】
１０  玩具
１１  浴槽
１２  水面
１３  玩具本体
１４  発光装置
１６  発光装置のケース部
１７  発光回路部
１８  電池
１９  発光装置の発光ダイオード
２０  振動検知センサー
２０ａ固定可動接点部
２０ｂ可動接点部
２１  配置方向検知手段
２２  発光制御部
２３  基板
２４  スイッチ部
２４ａ遮断部
２４ｂスイッチ片部
２５  接続線路
２６  案内矢印